Podtech/llm-jp-corpus-v4-ja_patent huggingface dataset:
(57)【要約】【課題】ニコチンを含まない生姜と飲食用ハーブの花びらをブレンドした生姜をブレンドした喫煙嗜好品を提供する。【解決手段】ニコチンを含まずやに臭さのない、生姜と飲食用ハーブの花びらをブレンドした生姜をブレンドした喫煙嗜好品である事を特徴とする。【特許請求の範囲】
【請求項１】
（１）飲食用ハーブとして使用されている花びらに生姜をブレンドした喫煙嗜好品
【発明の詳細な説明】
【技術分野】
【０００１】この発明はニコチン等毒性をもたない、生姜と飲食用ハーブの花びらをブレンドした喫煙嗜好品に関する。
【背景技術】
【０００２】喫煙品としてたばこ、又はたばこをブレンドしたものが知られている。
【発明の開示】
【発明が解決しようとする課題】
【０００３】これには次のような欠点がある。たばこの毒性については公示されており、また、たばこに他の素材をブレンドしたものもニコチンを除去したものではなく、同様の事が言える。本発明はこの欠点を取り除く為になされたものである。
【課題を解決するための手段】
【０００４】生姜をすり潰して繊維を取り出し、あく抜きをする。これを、アルコールを吹き掛けてねかせて置いたバラ、ジャスミン等の飲食用ハーブの花びらににブレンドし喫煙する。
【発明の効果】
【０００５】ニコチンを含まない生姜と飲食用ハーブの花びらを素材としており、生姜の消毒、消臭効果により、におい、辛み、苦みとも少ないので、まろやかな味わい、香りを楽しみながらリラックスした状況を醸し出し、ニコチンによる喫煙習慣を絶つ環境をつくる。
【発明を実施するための最良の形態】
【実施例】
【０００６】植物の葉、花には、におい、にがみ、辛み等、それぞれ独自のかどがあり、これを消すために生姜繊維をブレンド、または生姜汁を拭きつける。
強力な生姜の消毒、消臭効果によって、バラの花びら等喫煙する事が出来きる。
【産業上の利用可能性】
【０００７】花びら、生姜は燃焼性、通煙性に問題は無く、ニコチンを含まず、喫煙習慣を絶つ為に利用し得るものである。
生姜は消毒、消臭効果により、ブレンドするハーブのにおいを抑え、味を整え、喫煙習慣を絶つ為に利用し得るものである。
(57)【要約】      （修正有）【課題】あらかじめ誕生石を埋め込み製品化したつけ爪を、移動型サロンにてエンゲージネイルやおしゃれにネイルアートを楽しめるよう展開していく。【解決手段】広告媒体の利用により移動型サロンの手軽さを幅広い年代層に理解していただいたり、金属アレルギーに悩む女性達のエンゲージネイルに代わり新しい発想＝エンゲージネイルとして身近に喜びを感じていただいたり、移動型サロンでネイルアートを展開する事により店舗型サロンを敬遠しがちな年代層やアレルギーに悩む方に新しい楽しみ方を展開することが出来る。【選択図】図１
2009045422.tif 000002
【特許請求の範囲】
【請求項１】
既成のつけ爪本体に１月から１２月までの誕生石を埋め込んだつけ爪を製品化させ、ワンボックスタイプの自動車を改造し店内でネイルアートが施せるようなサロン展開をして、ＰＣ・携帯電話の広告手段を利用し幅広い年代層に浸透させ、自分の誕生日や記念日の月の誕生石など特別な思いをこめたネイルアートを楽しんだり、全く新しい発想として金属アレルギーをもつ女性のエンゲージリングに代わり、つけ爪に誕生石を埋め込みエンゲージジュエリーネイルとして展開したり、少しリッチな気分を味わったりと、サロンスタッフと共にリラックスタイムを作っていただく新しいタイプのネイルサロンを展開する。
【発明の詳細な説明】
【技術分野】
【０００１】  本考案はジュエリーを埋め込んだつけ爪にオリジナルネイルアートを施す移動型ネイルアートサロンである。
【背景技術】
【０００２】  店舗展開のみでのネイルアートサロンの場合、サロンの若年層化やサロンへの時間調整が難しい人達にはネイルアートを希望していても足が遠のいてしまう。【０００３】  著しい金属アレルギーをもつ女性にとって、誕生石で作るエンゲージリングの装着にも制限されてしまう。
【発明の開示】
【発明が解決しようとする課題】
【０００４】  若年層向きのデザインだけでなく、限られた時間でリラックス気分を満喫しながら少しリッチなおしゃれ気分を味わう事が可能なサロンが身近にあれば、ネイルサロンの需要がもっと伸びるであろうと考える。【０００５】  エンゲージリングの新しい発想のひとつとして、リングにこだわらずつけ爪でエンゲージネイルとして展開することが出来れば喜びの幅も広がるのではないかと考える。
【課題を解決するための手段】
【０００６】  本考案は広告媒体としてＰＣのホームページ・ケータイサイト・雑誌広告を利用し、移動型のネイルサロン又は金属アレルギーをもつ女性のエンゲージネイルとして宣伝し紹介をする。また、いつサロンに顧客が来店されてもその場で対応できるように全ての誕生石つけ爪を常備しておく。
【発明の効果】
【０００７】  広告媒体を利用し宣伝することにより移動型サロンのアピール性を高め、多くの人に足を運んでいただきネイルアートを楽しんでもらう。誕生石付きつけ爪を常備しておくことで、いつ来店されてもその場でネイルアートを施す事が可能になる。また、著しい金属アレルギーをもつ女性にも新しい喜びのひとつとしてアレルギーに関わる事なくエンゲージネイルとして付ける事が出来る。
【図面の簡単な説明】
【０００８】
【図１】  本発明を施したつけ爪の例
【図２】  本発明のサロン形態の例
【符号の説明】
【０００９】  ▲１▼  誕生石を施したつけ爪
▲２▼  サロンカー
【図１】
2009045422.tif 000003
【図２】
2009045422.tif 000004
(57)【要約】【課題】箸を分割し、細い方の箸を太い方の箸に収納することができる携帯箸を提供する。【解決手段】１本の箸を、箸先差込部（１）中空状の収納部（３）箸頭（７）に３分割し、箸を使用しない時には、箸先差込部（１）を収納部（３）の中空部（４）に収納したことを特徴とする携帯箸。  箸先差込部（１）を収納する箸入れ部（１１）を設け、箸入れ部（１１）を収納する箸入れ蓋部（１０）を設けたことを特徴とする携帯箸。【選択図】図７
2009045426.tif 000002
【特許請求の範囲】
【請求項１】
１本の箸を箸頭と中空状の箸収納部、箸先差込部に３分割し、箸を使用しない時に箸先差込部を収納部の中空部に収納するようにしたことを特徴とする携帯箸。
【請求項２】
箸先差込部を収納する箸入れ部を設け、箸入れ部を収納する箸入れ蓋部を設けたことを特徴とする請求項１の携帯箸。
【発明の詳細な説明】
【技術分野】
【０００１】  本発明は、箸を分割し、細い方の箸を太い方の箸に入れる携帯箸に関するものである。
【背景技術】
【０００２】  従来、使用後の箸は、洗った後箸箱などに仕舞って繰り返し使用していた。あるいは、割り箸はゴミとして使い捨てられていた。
【発明の開示】
【発明が解決しようとする課題】
【０００３】  そのために、次のような問題点があった。
（イ）割り箸を使い捨てにすることは、ゴミの発生を繰り返すことになり、さらに            、森林資源保護の観点から問題があった。
（ロ）弁当箱に収納する箸は、短いために使いづらかった。
（ハ）箸と同じサイズの箸箱は、大きいため持ち歩きに不便があった。
（ニ）箸先差込部を収納部の中空部に収納する携帯箸の場合は、中空部が分解でき            ないために洗浄が困難なことや、内部が見えないために汚れやカビなどが付            着したままになるなどの不衛生な状態が発生した。
本発明は以上の問題を解決しようとするものである。
【課題を解決するための手段】
【０００４】  １本の箸を箸頭（７）と中空状の箸収納部（３）、箸先差込部（１）に３分割し、箸を使用しない時には、箸先差込部（１）を箸収納部（３）の中空部（４）に収納したことを特徴とする携帯箸である。【０００５】  箸先差込部（１）を収納する箸入れ部（１１）を設け、箸入れ部（１１）を収納する箸入れ蓋部（１０）を設けたことを特徴とする携帯箸。
【発明の効果】
【０００６】  本発明は、箸を分割し、細い方の箸を、太い方の箸に設けた箸入れに収納する。
したがって、箸箱や箸袋が不要になり、長さが半分程度になるので持ち歩きがしやすい。
自分専用の箸を持ち歩くことで、割り箸の使用量が減少し、ゴミの減量と森林資源の保護に役立つ。
【発明を実施するための最良の形態】
【０００７】    以下、本発明の実施の形態を説明する。
（イ）箸先差込部（１）に箸接続部（２）を設ける。
（ロ）箸収納部（３）に中空部（４）を設ける。
（ハ）箸収納部（３）に凸部（５）と凹部（６）を設ける。
（ニ）箸頭（７）を設ける。
（ホ）箸収納部に（３）に係止部（８）を設ける。【０００８】      （ヘ）箸先差込部（１）を収納する箸入れ部（１１）を設ける。
（ト）箸入れ部（１１）を収納する箸入れ蓋部（１０）を設ける。
（チ）箸入れ部（１１）に箸固定凸部（１２）と箸固定凹部（１３）を設ける。
（リ）箸入れ蓋部（１０）に箸接続口（９）を設ける。
本発明は、以上の構成よりなっている。
本発明を使用するときは、箸接続部（２）を箸収納部（３）に差し込む。使用後は、箸先差込部（１）を箸収納部（３）に差し込む。
箸収納部（３）内のゴミや汚れは、箸頭（７）をはずして洗浄する。
箸収納部（３）の凸部（５）を凹部（６）に差し込むことで、２本の箸は固定されるのでバラバラになることがない。
係止部（８）が付いているので、バッグやポケットに入れて持ち歩くときでも、紛失などの心配がない。【０００９】    箸接続部（２）を箸接続口（９）に差し込み使用する。箸を使用後は、箸先差込部（１）を箸入れ部（１１）に入れ、箸入れ部（１１）を箸入れ蓋部（１０）に収納する。収納後の箸の長さは半分程度になるので携帯にとても便利になる。携帯時には、箸入れ部（１１）に設けた箸固定凸部（１２）と箸固定凹部（１３）で２本の箸が固定するので、バラバラになることがない。
また、箸入れ部（１１）は箸入れ蓋部（１０）から自由に取り出すことができるので、洗浄が簡単にできる。したがって、汚れや湿気、カビなどの心配がない。
【図面の簡単な説明】
【００１０】
【図１】本発明の斜視図
【図２】本発明の収納断面図
【図３】本発明の使用後の収納斜視図
【図４】本発明の斜視図
【図５】本発明の収納斜視図
【図６】本発明の断面図
【図７】本発明の収納断面図
【符号の説明】
【００１１】        １  箸先差込部
２  箸接続部
３  箸収納部
４  中空部
５  凸部
６  凹部
７  箸頭
８  係止部
９  箸接続口
１０  箸入れ蓋部
１１  箸入れ部
１２  箸固定凸部
１３  箸固定凹部
【図１】
2009045426.tif 000003
【図２】
2009045426.tif 000004
【図３】
2009045426.tif 000005
【図４】
2009045426.tif 000006
【図５】
2009045426.tif 000007
【図６】
2009045426.tif 000008
【図７】
2009045426.tif 000009
(57)【要約】      （修正有）【課題】洋式便器使用時に、便座を容易にかつ清潔に開閉することのできる洋式便器の便座開閉用持ち手を提供する。【解決手段】洋式便器の便座の前側面に、手で触りやすい所へ持ち手１を取り付けることにより、清潔に便座を開け閉めできるようにした。更に吸盤５にて便座裏面に固定するので、誰でも簡単に取り付けることが出来るようにした便座開閉用持ち手。【選択図】図１
2009045414.tif 000002
【特許請求の範囲】
【請求項１】
洋式便器の便座に取り付けることにより、容易にかつ清潔に便座を開け閉めできることを特徴とする便座開閉用持ち手。
【請求項２】
便座に吸盤で取り付け固定する請求項１の便座開閉用持ち手。
【請求項３】
便座に両面テープで取り付け固定する請求項１の便座開閉用持ち手。
【発明の詳細な説明】
【技術分野】
【０００１】  本発明は、洋式便器使用時に、便座を容易にかつ清潔に開閉することのできる洋式便器の便座開閉用持ち手に関するものである。
【背景技術】
【０００２】  従来、男性が洋式便器で立った状態で小便をするとき、便座を汚さない為に、便座と便器の間に手を入れ、便座を持ち上げて用をたしていた。
【発明の開示】
【発明が解決しようとする課題】
【０００３】    そのために、次のような問題点があった。
（イ）便座を手で持ち上げるときに、便器に直接手が触れ、不潔感があった。
（ロ）使座と便器の隙間が狭く、また重量もある為、特に高齢者や身体の不自由な方が便座を容易に持ち上げるのが困難であった。
本発明は以上の問題点を解決しようとするものである。
【課題を解決するための手段】
【０００４】  洋式便器の便座に取り付けることにより、容易にかつ清潔に便座を開け閉めさせることができる便座開閉用持ち手である。
【発明の効果】
【０００５】  本発明は、便座部に持ち手を取り付けることによって、汚れやすい便器部に直接手が触れることなく、清潔に便座の開閉が可能となる。
便座の持ち手部分が大きい為、高齢者や身体の不自由な方でも容易に便座を持ちあげることができる。
【発明を実施するための最良の形態】
【０００６】  以下、本発明の実施の形態を説明する。
（イ）アーム（２）の端に、持ち手ワク（１）取り付け用の穴（３）を設ける。
（ロ）持ち手ワク（１）を取りつけ用穴（３）に取り付ける。
（ハ）アーム（２）に、持ち手ワク（１）を取り付けた逆側に吸盤（５）取り付け用の穴（４）を設ける。
（ニ）吸盤（５）を、取り付け用穴（４）へ通し取り付ける。
本発明は、以上の構成よりなっている。
本発明を使用するときは、洋式便器の便座を開けた状態で、便座の裏側に吸盤（５）もしくは、両面テープにて上記の便座開閉用持ち手を取りつけ固定させる。
便座を開閉するときは、持ち手ワク（１）をつかみ、便器に触れることなく清潔かつ容易に開閉することができる。
【図面の簡単な説明】
【０００７】
【図１】本発明の斜視図
【図２】本発明の分解斜視図
【図３】本発明の使用状態を示す斜視図（便座が閉じた状態）
【図４】本発明の使用状態を示す斜視図（便座が開いた状態）
【符号の説明】
【０００８】      １  持ち手ワク
２  アーム
３  持ち手ワク取り付け用穴
４  吸盤取り付け用穴
５  吸盤
【図１】
2009045414.tif 000003
【図２】
2009045414.tif 000004
【図３】
2009045414.tif 000005
【図４】
2009045414.tif 000006
(57)【要約】【課題】足湯は周囲の床に座って浅い湯の中に足を入れ足を温めるものである。座る道具として木製のすのこや背もたれ付きの椅子が提供されている。従来の足湯の周囲の床や木製すのこ、背もたれ付きの椅子は加温されておらず、寒い時期には腰を温めたいという潜在的なニーズがあった。このニーズを解決するものとして発明者特開２００７−６００により、ヒートパイプを伝熱材として利用した足湯用椅子を提案したがヒートパイプのコストが高い欠点があった。【解決手段】本発明は足踏みポンプなどの人力に駆動により、足湯の温水を吸入し、温水配管に給水し、座る部分に運び、椅子を温める方式によるものである。【選択図】図１
2009045411.tif 000002
【特許請求の範囲】
【請求項１】
足湯の湯を人力により作動するポンプにより、吸い上げて温水管へ注入し、この温水管を椅子の座る部分に取り付け、放熱し、その後足湯へ冷えた温水を戻す足湯用の椅子
【請求項２】
前記人力により作動するポンプが足踏みポンプである請求項１の足湯用椅子
【請求項３】
前記ポンプが灯油用給油ポンプのポンプ部の構造である請求項１の足湯用椅子
【発明の詳細な説明】
【発明の詳細な説明】
【技術分野】
【０００１】この発明は、足湯用の椅子に関するものである。
【背景技術】
【０００２】近年、温泉地などにおいて屋外で足湯が盛んに使われている。足湯の周囲の床を椅子部にして、座って足を湯に入れる方法で使用されている。足湯の座る部分は水で濡れ易く、使用時に敷いて使う木製すのこを提供する足湯がある。足湯の周囲に座る際に使用する背もたれ付きの椅子が提供されている場合もある。新しい方式として発明者は特開２００７−６００においてヒートパイプにより、伝熱を行う愛湯用椅子を提案している。
【発明の開示】
【発明が解決しようとする課題】
【０００３】前記の足湯の周囲の床は一般的に加温されておらず、前述のすのこや椅子は加温されていないので、寒い時期には腰を温めたいという潜在的なニーズがあった。前述の特開２００７−６００はこのニーズに応えるものであるが材料のヒートパイプがコスト高が問題点である。
【課題を解決するための手段】
【０００４】本発明はこの問題点を解決するため、足湯の湯の中を人力で操作する足踏みポンプなどで温水管に注入して座る部分まで循環し、座る椅子の部分で放熱するものである。
【発明の効果】
【０００５】  請求項２の構成によると、ポンプを足で踏むことによって容易に温水管に足湯の湯を注入することが出来、この温水管を座る部分に取り付けることで、座る部分を温かくすることが出来る。ポンプはプラスチック製の一般的な玩具用エアポンプで充分利用出来るので安価に製造可能である。請求項３の方式も同様に安価に製造が可能である。足湯の周囲は水濡れが気になるものであり、このような椅子の提供はこの解決策の一つでもある。
【発明を達成するための最良の形態】
【０００６】  本発明の一実施例について、図によって説明する。図１は本発明の使用状態を示す説明図である。図２は本発明の一実施例を足湯１０に入れた構成を示すものである。椅子１は足踏みポンプ１−１、温水配管１−２、椅子躯体１−３、断熱材１−４、放熱部１−５によって構成する。図２においては内部構造を明瞭にするため、温水配管１−２、断熱部１−４の上部を覆う放熱部１−５の記載と更にその上を覆うカバーを省いている。図３は本発明の座る部分の断面構造を示す断面図である。椅子躯体１−３の上に断熱材１−４を取り付け、温水配管１−５を取り付ける。図には示さないが更に上部表面は座布団の皮のようなカバーで覆う。図４は足踏みポンプ１−１を示す図面であり、給水口１−１−Ａ、吸入口１−１−Ｂがある。足踏みポンプ１−１はアコーディオン部と逆支弁で構成したもので、ビニル製浮き輪などの空気注入に使用する足踏みポンプで充分使用出来る。温水配管１−２はプラスチック管で良いが、より伝熱性能を高めるためにアルミや銅の金属管を使用することも出来る。金属管の場合温泉の湯質によっては腐食の問題があり、内面のメッキやプラスチックコーテイングの必要性が生まれる。温水配管１−２は座る場所に渦巻き状に巻いて取り付け、中央から配管の端末を引き出す方法でも良い。足踏みポンプの代替として灯油ストーブの灯油給油用の逆支弁を使用した手で握って作動するポンプがある。この方式は手で握る力でポンプを作動し足湯の温水を温水配管に注入してみ良い。足湯の周囲の座る部分に温水配管を取り付け、この配管に足踏みポンプなど人力による駆動で温水を注入しても良い。この場合、一人の座る部分毎に独立した温水配管を取り付け、そこに座った一人の人間が足踏みポンプを駆動し、自分のエリアの座る部分を温めることが出来る。足踏みポンプは足湯の中に予め取り付ける方法を採用する。足踏みポンプ１−１の足を踏む部分にイボを取り付けマッサージ効果を付加することも出来る。足踏みポンプ１−１の足で踏む部分を銅で構成し、抗菌効果を付加しても良い。大型の円盤状の足踏みポンプ１−１を座る場所に取り付けて腰を浮かして作動する方法も出来る。椅子の足の側面に足踏みポンプ１−１を取り付けて足のふくはぎで作動させることも出来る。
【図面の簡単な説明】
【０００７】
【図１】本発明の実施例の形態に従った一実施例の使用状況を示す図である。
【図２】本発明の実施例の形態に従った一実施例の斜視図である
【図３】本発明の実施例の形態に従った一実施例の座る部分の断面図である。
【図４】本発明の実施例の形態に従った一実施例の足踏みポンプの正面図である。
【符合の説明】
【０００８】１：          椅子
１−１：      足踏みポンプ
１−１−Ａ：  給水口
１−１−Ｂ：  吸入口
１−２：      温水配管
１−３：      椅子躯体
１−４：      断熱部
１−５：      放熱部
１０：        足湯
【図１】
2009045411.tif 000003
【図２】
2009045411.tif 000004
【図３】
2009045411.tif 000005
【図４】
2009045411.tif 000006
(57)【要約】【課題】  従来、瞑想時や、座禅時に、座布団を重ねたり、折り重ねて高くした場合、滑ったり、くずれたりしやすく、座った姿勢が不安定になりやすい問題点があった。【解決手段】  接合布とボアテープを組み合わせて形状を工夫することにより、高さの調製が簡単にできてしかも、ずれたり、くずれたりしない座布団ができ、もって、瞑想や座禅時の座った姿勢の安定に資するものである。【選択図】図１
2009045412.tif 000002
【特許請求の範囲】
【請求項１】
高さ等を自在に調節できる安定性の良い、瞑想や座禅時等に使用する座布団。
【請求項２】
折りたたみのできる、その高さや広さが多段階に調節可能であり、かつ、横ずれ縦ずれの可能性を低減した仕組みをもつ座布団、マットレス、敷物、布団。
【請求項３】
座禅や、瞑想をするときに、尻の下に敷いて、その安定をはかる形状を有した敷物で、伸ばせば布団になるもの。
【発明の詳細な説明】
【技術分野】
【０００１】      本発明は、高さを調節できるうえに、座布団を折りたたんで時にすべったり広がったりするのを防止し、安定した座位置を得られる座布団である。
【背景技術】
【０００２】      従来の座布団は重ねると滑りやすく座った位置が安定しないものであるが、この禅座布団は、重ねた場合、重ねた部分が、連結した布、および、ボアテープで接合されすべりにくくなっているので、座った姿勢を安定して保つことができるものである。
【発明の開示】
【発明が解決しようとする課題】
【０００３】      座禅や瞑想は、お尻の部分を高くして座るほうが座る姿勢が安定するのであるが、その高さは、個人個人でベストの高さは違うものであるし、また、同じ個人でも疲労度などによって、高さを変えた方が、座る姿勢が安定するものである。しかし、従来の座布団では、高さを変えることが出来ない。もし、高くしようと何枚か重ねたり、折り重ねたりすると、重ねた部分や折った部分が滑ったり、ずれたりしやすく、座った姿勢が不安定になりやすい。【０００４】      本発明は、このような問題点を解決しようとするものであり、座布団の高さを自在に変更可能にしたうえで、しかも、滑ったりずれたりしないようにすることを目的とするものである。
【課題を解決するための手段】
【０００５】      そして、本発明は上記目的を達成するために、座布団間の接合の布、ボアテープを組み合わせて、高さ調節可能な、禅座布団とするものである。【０００６】      座布団の重ねた状態の重なり合う面にボアテープを接合することによって、左右のずれ、滑りを防止することができる。また、座布団間の布をたすきがけにかけることによって、より安定した形状を得ることができる。
【発明の効果】
【０００７】      上述したように、本発明の禅座布団は、座禅中、あるいは、瞑想中に、高さ調整を何度でも行うことができるようになり、一番適した座った姿勢を安定的に保つことに役立つ。
【発明を実施するための最良の形態】
【０００８】      以下、本発明の実施形態を図１に基づいて説明する。【０００９】      図において、１は、たすきがけの布の部分。各座布団の前後を接合している。隣り合う座布団は、表にも、裏にも折れるが、接合部分が延びることはないので、布が引き合って、上下の座布団がずれることがない。
図において、２は、ボアテープ部分、重ねた場合それらが接合されるので、ずれたり、滑ったりしなくなる。図は、３段に重ねて、一枚伸ばした状態だが、最低一段から、最高５段まで重ねることが可能である。
【図面の簡単な説明】
【００１０】
【図１】      本発明の実施形態を示すボアテープとたすきの布を組み込んだ禅座布団。
【符号の説明】
【００１１】      １  たすきがけの布
２  ボアテープ
【図１】
2009045412.tif 000003
(57)【要約】      （修正有）【課題】介護作業を軽減するため、簡易型の改良ストレッチャーを提供する。【解決手段】既設ストレッチャーを使用して、そのストレッチャーに取り付けるため、アルミ製補強材入りスライド本体をマジックテープにて固定し、手摺りは、既設のものを使用する。ストレッチャーのスライド方法は、下部の車輪により行ない看護作業の軽減、補助するストレッチャーを構成する。【選択図】図１
2009045401.tif 000002
【特許請求の範囲】
【請求項１】
１．横スライド方式
【請求項２】
１．既設ストレッチャーを使用する
【請求項３】
１．接続方式が、マジックテープ固定
【請求項４】
１．アルミ製補強材入り
【請求項５】
１．手摺りは、既設のものを使用
【請求項６】
１．スライド方法は、下部の車輪により行なう
【請求項７】
１．上下のクリアランスは２ｍ／ｍとする。
【請求項８】
１．スライド固定は、本体をマジックテープにて固定
【発明の詳細な説明】
【技術分野】
【０００１】  人力対応での人材不足は、これから対応が、難しい
従って  機材での対応がこれから将来において発展していくべきだと思う
少人数での対応を余儀なくされていく将来に向け
移動時の人員の削減は、大きな課題となる
この機材により削減の手助けになると信じたい。
【背景の技術】
【０００２】  施設・病院・家の中藤の移動手段としては、車椅子・ストレッチャー等が、ある
しかし  作業は、一日の中何度もあるのだが、その補助装置は、無い  人力対応なのである  たとえれば９０歳の親を７０歳の子供が面倒みるとし、毎日何度も繰り返し面倒は、みられない
足をケガした人間にも同じことが言える
これからの社会は、高齢化し、補助年齢も上がっていく  従って高齢者・いくつかのハンディキャップを持つものも簡単に補助できるものが、望ましいと思う
【発明の開示】
【０００３】  この発明を開示することにより、より良いものが、発明されることを期待する。
２次的な被害者の出ない世の中になれば、良いと考える
介護疲れでのノイローゼなどが、昨今多く新聞に載るたびに少しでも少なくなればとこの発明を思いついたしだいです。
【発明の効果】
【０００４】    一日幾人ものベットから診療施設までの移動とし、ストレッチャー移動がある
寝たきりの老人・足腰を痛めた若者まで、状況は異なるが、看護師の苦労は、計り知れない。
従って患者を起き上がらすこと無くベットからストレッチャーまで、移動できる  またその反対も可能である
昨今言われている人材不足解消につながると思う
【発明を実施するための最良の形態】
【０００５】１．医療施設への設置
２．老人医療施設への設置
３．公共施設への設置
４．介護等の設備販売店の設置
５．宿泊施設への設置
【実施例１】
【０００６】  移動が、少人数で、出来る
【実施例２】
【０００７】  移動時の看護師の負担が、軽減される
【実施例３】
【０００８】  既設資材の簡単な改良で、済むことから導入コストが軽減される。
【産業上の利用可能性】
【０００９】  社会からリタイヤし老後に備えるべき年齢の人間が、介護に追われ
これまで、考えてもいない生活を送る
介護等が済めばすぐ近くにし自分の介護が、待ち受けている
休むことも無く人生を終える想像は、いたって厳しい選択である。
したがって、介護等が、軽減されるのであれば必ず需要は、発生すると確信する。
【図面の簡単な説明】
【００１０】１．ベットに平行に設置する。
２．スライドして患者横につける。
３．患者を横向きにする
４．患者の下に滑り込ませる
５．患者を乗せ終わったら定位置に設置する
６．横スライドし、ストレッチャーに乗せる
７．スライドシステムを固定する
８．手摺りを上げる
９．ブレーキを解除し移動を開始する。
2009045401.tif 000003
【手続補正書】
【提出日】平成19年10月31日(2007.10.31)
【手続補正１】
【補正対象書類名】明細書
【補正対象項目名】００１０
【補正方法】変更
【補正の内容】
【００１０】
【図１】  平面図
【図２】  使用推定立面図  支持金物が、スライドすることにより、ベットに横になった患者をストレッチャに乗せ替えることが出来る
【図３】  立面図  ストレッチャー本体に取り付けることにより全体の買い替えをしなくて済む
【手続補正２】
【補正対象書類名】図面
【補正対象項目名】全図
【補正方法】変更
【補正の内容】
【図１】
2009045401.tif 000004
【図２】
2009045401.tif 000005
【図３】
2009045401.tif 000006
(57)【要約】【課題】  本発明は、伸びた爪の裏側や指と爪の境目などに詰まらした汚れを取り除く、爪の汚れ除去具を提供する。【解決手段】細長い平らな金属や樹脂等を半分に折り曲げ、さらに片側の先端から５ｍｍ程度の部分を内側に６０度程折り曲げた型をして、６０度程折り曲げた側の先端を薄くした形状を特徴とする爪の汚れ除去具。【選択図】図１
2009045404.tif 000002
【特許請求の範囲】
【請求項１】
細長い平らな金属や樹脂等を半分に折り曲げ、さらに片側の先端から５ｍｍ程度の部分を内側に６０度程折り曲げた型をして、６０度程折り曲げた側の先端を薄くした形状を特徴とする爪の汚れ除去具である。
【請求項２】
両先端をピンセットのように細くした請求項１の爪の汚れ除去具。
【発明の詳細な説明】
【技術分野】
【０００１】  本発明は、伸びた爪の裏側や指と爪の境目などに詰まらした汚れを取り除く、爪の汚れ除去具に関するものである。
【背景技術】
【０００２】  従来、土作業や油作業などをして、伸びた爪の裏側や指と爪の境目などに詰した汚れを除去したいときは、ウォッシングタオルや爪ブラシなどで汚れをこすり取ったり、楊枝やへらなどで汚れをかき取ったりして汚れを除去していた。
【発明の開示】
【発明が解決しようとする課題】
【０００３】  そのために、次のような問題点があった。
伸びた爪の裏側や指と爪の境目などに詰まらした汚れをウォッシングタオルや爪ブラシなどで取る場合も、楊枝やへらなどで汚れをかき取る場合も、細やかな手作業のため肩や目が疲れ、時間がかかるわりには、汚れを除去する効率がとても悪かった。
本発明は以上の問題を解決しようとするものである。
【課題を解決するための手段】
【０００４】  細長い平らな金属や樹脂等を半分に折り曲げ、さらに片側の先端から５ｍｍ程度の部分を内側に６０度程折り曲げた型をして、６０度程折り曲げた側の先端を薄くした形状を特徴とする爪の汚れ除去具である。
【発明の効果】
【０００５】  本発明は、伸びた爪の裏側や指と爪の境目などに詰まらした汚れを、簡単な手作業で効率よく除去する。したがって、細かな手作業に多くの時間を費やすこともなく、目や肩に疲労をためることがないのである。
【発明を実施するための最良の形態】
【０００６】  以下、本発明の実施の形態を説明する。
（イ）本体（１）は厚さ１ｍｍ幅５ｍｍ長さ１５ｍｍ程度のステンレスを真半分に先端Ａ（２）と先端Ｂ（３）の隙間が１０ｍｍ程になるまで折り曲げ、さらに先端Ｂ（３）から５ｍｍ程度の部分を内側に６０度程折り曲げた物である。
（ロ）本体（１）と爪の表に触れる側の先端Ａ（２）は素肌や爪に傷がつかないよう角を取り丸みを持たせる。
（ハ）爪の裏側の汚れをかき出す側の先端Ｂ（３）は、爪のカーブに引っ掛からないように角に十分丸みを持たせ、汚れをかき出し易くするために内側からテーパーに削り先端を薄くする。
本発明は、以上の構成よりなっている。
本発明を使用するときは、本体（１）を指先で握るように持ち、先端（２）と先端Ｂ（３）で汚れた爪をつまむ、この時に先端Ａ（２）は爪の表面側、先端Ｂ（３）は伸びた爪の裏側の汚れをかき出しやすい位置をつまみ、つまんだまま手前に引くことで伸びた爪の裏側の汚れをかき出す。
汚れがかき出しにくい場合はつまむ強さや手前に引く角度を工夫すると良い。
【図面の簡単な説明】
【０００７】
【図１】  本発明の斜視図
【図２】  本発明の他の実施例を示す斜視図
【図３】  本発明の先端Ａ（２）と先端Ｂ（３）の拡大図
【図４】  本発明の先端Ｂ（３）の拡大斜視図
【図５】  本発明の使用例
【図６】  本発明の使用例
【図７】  本発明の使用例
【符号の説明】
【０００８】  １  本体Ａ
２  先端Ａ
３  先端Ｂ
４  本体Ｂ
【図１】
2009045404.tif 000003
【図２】
2009045404.tif 000004
【図３】
2009045404.tif 000005
【図４】
2009045404.tif 000006
【図５】
2009045404.tif 000007
【図６】
2009045404.tif 000008
【図７】
2009045404.tif 000009
(57)【要約】【課題】靴中敷には、ポケットやバンドの保持部はなく敷くだけのものであり、脱臭効果剤やマッサージ効果突起部等は靴中敷に直接塗布したり接着しなければならず不便であった。【解決手段】面ファスナーを付けた靴中敷に、面ファスナーを付けたポケットやバンドの保持部を設け、脱臭効果剤やマッサージ効果突起部等を保持部で挟持できるようにし、保持物を簡単に着脱、交換ができるようにした。【選択図】図１
2009045407.tif 000002
【特許請求の範囲】
【請求項１】
ポケットやバンド保持部を設けた靴中敷
【請求項２】
ポケットやバンド保持部内面および靴中敷上面に付けた面ファスナーで保持物を挟持できることを特徴とする請求項１記載の靴中敷。
【発明の詳細な説明】
【技術分野】
【０００１】  この発明は、靴中敷の形状に関する。
【背景技術】
【０００２】  従来の靴中敷には、ポケットやバンド保持部はなく敷くだけのものである。
【発明の開示】
【発明が解決しようとする課題】
【０００３】しかしながら、以上の技術によれば、脱臭効果剤や、マッサージ効果突起部等は靴中敷に、塗布したり、接着したり、他の方法にて直接加工していた。
そこで、この発明は、靴中敷に直接加工しなくとも、脱臭効果剤やマッサージ効果突起部等を簡単に着脱、交換できる靴中敷を提供することを、課題とする。
【課題を解決するための手段】
【０００４】  以上の課題を解決するために、第一発明は、靴中敷にポケットやバンドの保持部を設けたことを、特徴とする靴中敷。
第二発明は、ポケットやバンドの保持部内面と靴中敷上面に付けた面ファスナーが保持物の周囲を合着し保持物を挟持できることを、特徴とする靴中敷である。
【発明の効果】
【０００５】  第一発明および第二発明によれば靴中敷に保持部を設けたことで、脱臭効果剤やマッサージ効果突起部等を靴中敷に直接加工せずとも、これらの保持物を保持部で保持することができ、簡単に着脱交換することもできる。
さらに、保持部の内面と靴中敷上面に付けた面ファスナーが保持物の周囲を合着するので、保持物をよりしっかりと、抱え込むように挟持することができる。
【発明を実施するための最良の形態】
【０００６】  この発明の一実施形態を、図１に示す。
靴中敷本体１に、ポケット保持部２とバンド保持部３を設け、靴中敷上面とポケット保持部内面およびバンド保持部内面には面ファスナー４が付けられている。
各保持部先端には指掛け部５がつけられている。【０００７】「実施形態の効果」
この実施形態によれば、ポケット保持部、バンド保持部に脱臭効果剤や、マッサージ効果突起部等を保持することができ、面ファスナーで保持物をしっかり挟持できる。
また、指掛け部に指先を掛けることで、保持部の開閉がしやすい。【０００８】「他の実施形態」
図１の実施形態では、保持部が靴中敷のおもて面に設けられているが、裏面でもよいし両面とも保持部を設けてもよい。【０００９】  ポケットやバンドの保持部は分けずに一体化し、一つのポケットまたはバンドにしても良い。【００１０】  ポケットやバンドの保持部は横方向に限らず、縦や斜め方向に設けても良くこれらの方向を組み合わせても良い。【００１１】  ポケットやバンドの保持部の数や大きさは、保持物に合わせて自由に設けてよい。【００１２】  ポケットやバンドの保持部の上面にさらに保持部を設け二重、三重、多重の保持部にしても良い。【００１３】  保持部は面ファスナーを付けないポケットやゴムバンドにしても良い。【００１４】  保持部は保持物の形状や条件に合わせて部分的に穴をあけたり、変形させても良い。【００１５】  保持部に設けた指掛け部は指先が掛かりやすいよう裏側方向へ広がるテーパーをつけても良い。【００１６】  保持部に設けた指掛け部はリボン等を付け掴み部を設けても良い。
【産業上の利用可能性】
【００１７】  本発明は、靴中敷を製造、販売する産業分野で利用することができる。
【図面の簡単な説明】
【００１８】
【図１】この発明の一実施形態を示す斜視図である。
【符号の説明】
【００１９】  １  靴中敷本体      ２  ポケット保持部      ３  バンド保持部
４  面ファスナー      ５  指掛け部      ６  保持物
【図１】
2009045407.tif 000003
(57)【要約】      （修正有）【課題】パソコンを長時間される方又は乗り物に長時間乗っておられる方、災害で避難してある方など、長時間座った状態で血行が悪い方の血行を良くするものである。【解決手段】足を動かすことで足の血行を良くする。形は足が乗せられればよく、足の動きが持続できるもので机・座席・イス等。【選択図】図１
2009045409.tif 000002
【特許請求の範囲】
【請求項１】
足を動かすことで足の血行を良くする
【請求項２】
形は足が乗せられればよく、足の動きが持続できるもので机・座席・イス等。
【発明の詳細な説明】
【技術分野】
【０００１】本発明は座る姿勢を続ける人の血行不良を改善するもの
【図１】
2009045409.tif 000003
【図２】
2009045409.tif 000004
【手続補正書】
【提出日】平成19年11月10日(2007.11.10)
【手続補正２】
【補正対象書類名】明細書
【補正対象項目名】全文
【補正方法】変更
【補正の内容】
【発明の詳細な説明】
【技術分野】
【０００１】本発明は座る姿勢を続ける人の血行不良を改善するもの
【図面の簡単な説明】
【００２】
【図１】机の足を乗せる板が前後に回転するように作る。
【図２】イスの後ろの人が足を乗せて前後に回転するように作る。
(57)【要約】【課題】使っていない時には観賞用の置物になり、日々の生活に楽しみと癒しを与えるようなマグカップや湯飲みなどの飲み物器を提供する。【解決手段】飲み物器１の外側面２に突起３を付けたり、外側面２の一部を平面状にしたりすることにより、飲み物器１を横にした状態でも転がらずに安定して置けるようにする。さらに、外側面２や外底面４に装飾５、６を施すことにより、飲み物器１を置物として観賞できるようにする。【選択図】図１
2009045403.tif 000002
【特許請求の範囲】
【請求項１】
器の外側面に突起をつけたり、器の外側面の一部を平面状にすることにより、器を横にした状態で安定して置けるようにした飲み物器
【請求項２】
器の外側面や外底面に装飾を施すことで、保管時に置物として観賞することができるようにした飲み物器
【発明の詳細な説明】
【技術分野】
【０００１】本発明は、マグカップや湯飲みなどの飲み物器の外側面に突起を付けたり、外側面の一部を平面状にしたりすることにより、飲み物器を横にした状態で安定して置けるようにしたものである。さらに外側面や外底面に装飾を施すことにより、飲み物器を保管する際、置物として観賞できるようにしたものである。
【背景技術】
【０００２】従来の飲み物器は、立てて置くことを前提としていたため、横にすると転がりやすく、横にした状態で置物として観賞することが不可能であった。
【発明の開示】
【発明が解決しようとする課題】
【０００３】マグカップや湯飲みなどの飲み物器を、使っていない時に置物として観賞できるようにし、日々の生活に楽しみと癒しを与える。
【課題を解決するための手段】
【０００４】飲み物器の外側面に突起を付けたり、外側面の一部を平面状にしたりすることにより、飲み物器を横にした状態でも転がらずに安定して置けるようにする。さらに、外側面や外底面に装飾を施すことにより、飲み物器を置物として観賞できるようにする。
【発明の効果】
【０００５】従来、飲み物器は飲料を入れる以外には用途がなかったが、本発明により、飲み物器が本来の用途以外に置物という新しい用途を持ち、飲料を飲む時以外にも、生活に楽しみと癒しを与える物となり得る。
【発明を実施するための最良の形態】
【０００６】本発明は、保管時に横にした状態で置物として観賞できるようにした飲み物器であり、それを図面について説明すれば、〔図１〕のように、飲み物器１の外側面２に複数の突起３を付けるものである。そして〔図２〕のように、突起３を下にした状態で飲み物器１を横にすれば、飲み物器１は転がらずに安定して横にして置くことができる。さらに飲み物器１の外側面２や外底面４に、装飾のための絵や模様５や、装飾のための造作６を施すことにより、飲み物器１は観賞用の置物としての機能を持つ。
【図面の簡単な説明】
【０００７】
【図１】飲み物器を立てて置いた時の斜視図である。
【図２】飲み物器を横にして置いた時の底面側から見た斜視図である。
【符号の説明】
【０００８】１飲み物器
２飲み物器の外側面
３突起
４飲み物器の外底面
５装飾のための絵や模様
６装飾のための造作
【図１】
2009045403.tif 000003
【図２】
2009045403.tif 000004
(57)【要約】【課題】指先を湿らせることなく、口部を指先で容易に開くことができるようにした合成樹脂袋を提供する。【解決手段】上端を開口した有底の合成樹脂袋において、相対向する一対の上端縁５ａ、５ｂには切欠部７ａ、７ｂを相互に位置をずらした状態でそれぞれ形成したことを特徴とする合成樹脂袋。上端を開口した有底の合成樹脂袋において、相対向する一対の上端縁におけるいずれか一方の上端縁に切欠部を形成したことを特徴とする合成樹脂袋。【選択図】図１
2009067466.tif 000002
【特許請求の範囲】
【請求項１】
上端を開口した有底の合成樹脂袋において、
相対向する一対の上端縁には切欠部を相互に位置をずらした状態でそれぞれ形成したことを特徴とする合成樹脂袋。
【請求項２】
上端を開口した有底の合成樹脂袋において、
相対向する一対の上端縁におけるいずれか一方の上端縁に切欠部を形成したことを特徴とする合成樹脂袋。
【発明の詳細な説明】
【技術分野】
【０００１】
本発明は、合成樹脂袋に関するものであり、例えば、スーパーマーケット等の小売店において購入した商品を収納するために用いられる買い物袋ないしレジ袋、一般家庭、事業所等においてゴミを収納するために用いられるゴミ袋等の合成樹脂袋に係るものである。
【背景技術】
【０００２】
合成樹脂袋としては、例えばポリエチレン等の合成樹脂フィルムよりなる上端を開口した有底袋が従来より広く使用されている。
【０００３】
実用新案登録第３１３２２９１号公報は、このような合成樹脂袋を開示している。
【特許文献１】実用新案登録第３１３２２９１号公報
【発明の開示】
【発明が解決しようとする課題】
【０００４】
しかるに、使用前の合成樹脂袋は、扁平に折り畳まれており、その口部は薄い合成樹脂フィルムが二枚重ねの密着状態にあるため、口部を指で開くことは容易でない。
【０００５】
指先が水等で湿っているときには、合成樹脂袋の口部を指先で容易に開くことができる。したがって、例えばスーパーマーケット等の小売店における袋詰め作業台上に水を含ませたスポンジ、濡れたタオル等を配設しておけば、合成樹脂袋の使用者は指先を該スポンジ、タオル等で湿らせた状態で合成樹脂袋の口部を容易に開くことができる。
【０００６】
しかしながら、水を含ませたスポンジ、濡れたタオル等を不特定多数人で共用することは極めて不衛生であり、使用者に不快感を与える。
【０００７】
一方、合成樹脂袋の使用者は、自らの指先を舐めて湿らせておけば、その湿った指先で口部を容易に開くことができる。
【０００８】
しかしながら、指先を舐めて湿らせることも不衛生である。
【０００９】
このような状況に鑑み、本発明は、指先を湿らせることなく、口部を指先で容易に開くことができるようにした合成樹脂袋を提供しようとしてなされたものである。
【課題を解決するための手段】
【００１０】
上記課題を解決するために、本発明は、下記の合成樹脂袋を提供する。
【００１１】
（１）上端を開口した有底の合成樹脂袋において、
相対向する一対の上端縁には切欠部を相互に位置をずらした状態でそれぞれ形成したことを特徴とする合成樹脂袋（請求項１）。
【００１２】
（２）上端を開口した有底の合成樹脂袋において、
相対向する一対の上端縁におけるいずれか一方の上端縁に切欠部を形成したことを特徴とする合成樹脂袋（請求項２）。
【発明の効果】
【００１３】
［請求項１の発明］
相対向する一対の上端縁には切欠部を相互に位置をずらした状態でそれぞれ形成しているため、合成樹脂袋の口部を開く際には、いずれか一方の上端縁における切欠部に一方の手の指を入れて他方の上端縁を摘み、他方の上端縁における切欠部に他方の手の指を入れて一方の上端縁を摘み、それぞれ別の手の指で摘んだ当該一対の上端縁を相互に離れる方向に引くことにより、口部を容易に開くことができる。すなわち、合成樹脂袋の口部を開く際に、指先を湿らす必要がない。
【００１４】
［請求項２の発明］
相対向する一対の上端縁におけるいずれか一方の上端縁に切欠部を形成しているため、合成樹脂袋の口部を開く際には、一方の上端縁における切欠部に一方の手の指を入れて他方の上端縁を摘み、当該他方の上端縁を当該一方の上端縁から離れる方向に引くことにより、口部を容易に開くことができる。すなわち、合成樹脂袋の口部を開く際に、指先を湿らす必要がない。
【発明を実施するための最良の形態】
【００１５】
符号１に示すものは、例えばポリエチレン等の合成樹脂フィルムよりなる上端を開口した有底の合成樹脂袋である。
【００１６】
すなわち、合成樹脂袋１は、上端に開口する口部３を備えている。合成樹脂袋１の使用前においては、この口部３は薄い合成樹脂フィルムが二枚重ねの密着状態にある。
【００１７】
相対向する一対の上端縁５ａ、５ｂには切欠部７ａ、７ｂを相互に位置をずらした状態でそれぞれ形成する。すなわち、一方の上端縁５ａには切欠部７ａを形成し、他方の上端縁５ｂには別の切欠部７ｂを形成する。切欠部７ａと切欠部７ｂとは、相互に位置がずれている。図１参照。
【００１８】
各上端縁５ａ、５ｂにはそれぞれ複数の切欠部７ａ、７ｂを形成しても差し支えない。例えば、図２に示す事例においては、一方の上端縁５ａには二つの切欠部７ａ、７ａを形成し、他方の上端縁５ｂには別の二つの切欠部７ｂ、７ｂを形成している。
【００１９】
また、相対向する一対の上端縁５ａ、５ｂにおけるいずれか一方の上端縁５ａ又は５ｂのみに切欠部９を形成してもよい。図３参照。
【００２０】
相対向する一対の上端縁５ａ、５ｂにおけるいずれか一方の上端縁５ａ又は５ｂに複数の切欠部９を形成してもよい。例えば、図４に示す事例においては、一方の上端縁５ａに二つの切欠部９、９を形成している。
【００２１】
なお、符号１１に示すものは、合成樹脂袋１の手提げ部である。
【図面の簡単な説明】
【００２２】
【図１】本発明による合成樹脂袋の一例を示す斜視図である。
【図２】本発明による合成樹脂袋の別の一例を示す斜視図である。
【図３】本発明による合成樹脂袋の更に別の一例を示す斜視図である。
【図４】本発明による合成樹脂袋の更に別の一例を示す斜視図である。
【符号の説明】
【００２３】
１  合成樹脂袋
３  口部
５ａ  上端縁
５ｂ  上端縁
７ａ  切欠部
７ｂ  切欠部
９  切欠部
１１  手提げ部
【図１】
2009067466.tif 000003
【図２】
2009067466.tif 000004
【図３】
2009067466.tif 000005
【図４】
2009067466.tif 000006
(57)【要約】【課題】重量物の入った袋を持つ時、袋のもち手部分が、品物のおもさで指を圧迫することにより痛みや痺れが発生する。【解決手段】袋ホルダーを使用することにより、指を圧迫することがなくなり、痛みや痺れが緩和する。袋ホルダーは、本体（１）の両端面に、袋持ち手導入ガイド（４）、切れ目（５）引っ掛け穴（２）、本体（１）の両脇に補強材（３）、二箇所の折り目（６）（７）を設ける。【選択図】図１
2009067471.tif 000002
【特許請求の範囲】
【請求項１】
平板に複数の折り目を付け、底面に袋の持ち手を固定する穴を設け、袋を保持する事を特徴とする袋ホルダー。
【請求項２】
前記ホルダーは弾力性のある合成樹脂の平板に折り目の部分からコの字状に曲げることにより平板の強度を増し重量物の運搬に耐えると共に、使用しない時には平らに伸ばしてサイフの中等に収納する事が出来るのを特徴とする袋ホルダー。
【発明の詳細な説明】
【技術分野】
【０００１】    この発明は、持ち手が付いた袋を下げた時に、品物の重さにより、指を圧迫し、痛みや痺れなどが発生することに因る苦痛を緩和する袋ホルダーに関するものである。
【背景技術】
【０００２】    従来のものは、ホルダーの両端に紐をかけ、つりさげて持つようになっているが、品物の重さで痛みや痺れが発生して苦痛であった。
【発明の開示】
【発明が解決しようとする課題】
【０００３】    袋のもち手部分が、品物のおもさで指を圧迫することにより痛みや痺れが発生するので、そのような苦痛を軽くするホルダーを提供することを課題とする。
【課題を解決するための手段】
【０００４】    以上の課題を解決するために、本発明は、本体（１）の両端面に、袋持ち手導入ガイド（４）、同切り目（５）、引っ掛け穴（２）、本体（１）の両脇に補強材（３）、二箇所の折り目（６）（７）を設け、コの字に折り曲げて使用することを特徴とした袋ホルダーである。
【発明の効果】
【０００５】    平板状のもので、使用する時にはコの字に折り曲げ使用する。そのことにより、強度が増し、ひもの部分が手に当たることが無くなり、痛みや痺れなどの苦痛を緩和する。普段は平板状に広げてサイフ等に収納出来るので持ち歩くのにもじゃまにならない。なお用途によって本体の大きさが変えられる。
【発明を実施するための最良の形態】
【０００６】    以下、本発明を実施するための形態を説明する。
平板状（厚さ、約１ミリ前後）の弾力性のある合成樹脂でつくられた本体（１）、本体（１）の両側面に設けられた補強板（３）を設ける。また、本体（１）の両先端に設けられた引っ掛け穴（２）が設けてある。厚さ１ミリ前後の弾力性のある合成樹脂の強度補強の為に、袋ホルダーの断面は、コの字を有して袋の重みに耐えられる強度をそなえている。そして、平板状からコノ字状に折り曲げる場合、二箇所の曲げに対して、それぞれ二箇所の折り目（６）（７）を設けることにより、手に当たる部分の角度が緩やかになり、持ちやすくなってくる。底面には買い物袋のもち手部分を挟み込むための引っ掛け穴（２）と（２）に導入する導入ガイド（４）、切れ目（５）を両端に設ける。
本発明は、以上の構成よりなっている。
本発明を使用するには、本体（１）の両先端に袋の持ち手を差し込み（２）に固定する。持ち手が通過した切れ目（５）は、持ち手通過後は弾力性により再び閉鎖され、袋の持ち手は（２）に固定される。それにより休憩等に一時仮置きしても次に持つ時にそのままの状態で持ち上げる事が出来る。【０００７】「実施形態の効果」
この実施形態によれば（３）の補強板により重量物のぶら下げを可能にして尚かつぶら下げ部分（１）を中にして、両側に補強板（３）を立てる事によりコの字部分が形成される。そのコの字部分に買い物袋の持ち手をはめ込むことにより、手には袋ホルダーが接する事に成る。この事により手が痛くなったり、痺れたりすることが緩和出来る。
【産業上の利用可能性】
【図面の簡単な説明】
【０００８】
【図１】この発明の一実施形態を示す斜視図である。
【図２】この発明の一実施形態を示す平面図である。
【図３】買い物袋（ビニール）を下げた時の図である。
【図４】紐のある袋を下げた時の図である。
【符号の説明】
【０００９】１  持ち手本体              ２  引っ掛け穴            ３  補強板
４  導入ガイド              ５  切れ目                ６  折り目
７  折り目
【図１】
2009067471.tif 000003
【図２】
2009067471.tif 000004
【図３】
2009067471.tif 000005
【図４】
2009067471.tif 000006